(57)【要約】  積層電池のインピーダンス測定装置は、積層電池を少なくとも含むインピーダンス測定対象に交流電流を出力し、インピーダンス測定対象の正極側の電位と中間電位との正極側交流電位差、および、インピーダンス測定対象の負極側の電位と中間電位との負極側交流電位差のうちの少なくとも一方の交流電位差と、インピーダンス測定対象に印加される交流電流とに基づいて積層電池のインピーダンスを算出する。この装置において、インピーダンス算出で用いられる交流電位差とは反対極側の交流電位差を示す交流信号に対して当該交流信号周波数の信号を除去するフィルタと、フィルタを通過した後の信号を、インピーダンス算出で用いられる交流電位差を示す交流信号に加算する加算手段とを備える。
2014057868.tif 000002
【特許請求の範囲】
【請求項１】
積層電池を少なくとも含むインピーダンス測定対象に交流電流を出力する交流電源部と、
前記インピーダンス測定対象の正極側の電位と前記インピーダンス測定対象の中間電位との正極側交流電位差、および、前記インピーダンス測定対象の負極側の電位と前記インピーダンス測定対象の中間電位との負極側交流電位差のうちの少なくとも一方の交流電位差を検出する交流電位差検出手段と、
前記少なくとも一方の交流電位差と、前記インピーダンス測定対象に印加される交流電流とに基づいて前記積層電池のインピーダンスを算出するインピーダンス算出手段と、
前記インピーダンス算出手段で用いられる交流電位差とは反対極側の交流電位差を示す交流信号に対して当該交流信号周波数の信号を除去するフィルタと、
前記フィルタを通過した後の信号を、前記インピーダンス算出手段で用いられる前記交流電位差を示す交流信号に加算する加算手段と、
を備える積層電池のインピーダンス測定装置。
【請求項２】
積層電池を少なくとも含むインピーダンス測定対象に交流電流を出力する交流電源部と、
前記インピーダンス測定対象の正極側の電位と前記インピーダンス測定対象の中間電位との正極側交流電位差、および、前記インピーダンス測定対象の負極側の電位と前記インピーダンス測定対象の中間電位との負極側交流電位差のうちの少なくとも一方の交流電位差を検出する交流電位差検出手段と、
前記少なくとも一方の交流電位差と、前記インピーダンス測定対象に印加される交流電流とに基づいて前記積層電池のインピーダンスを算出するインピーダンス算出手段と、
前記正極側交流電位差を示す交流信号に対して当該交流信号周波数の信号を除去する第１のフィルタと、
前記負極側交流電位差を示す交流信号に対して当該交流信号周波数の信号を除去する第２のフィルタと、
前記第１のフィルタを通過した後の信号を前記負極側交流電位差を示す交流信号に加算する第１の加算手段と、
前記第２のフィルタを通過した後の信号を前記正極側交流電位差を示す交流信号に加算する第２の加算手段と、
を備える積層電池のインピーダンス測定装置。
【請求項３】
請求項１または請求項２に記載の積層電池のインピーダンス測定装置であって、
前記フィルタは、ノッチフィルタである、
積層電池のインピーダンス測定装置。
【発明の詳細な説明】
【技術分野】
【０００１】
本発明は、積層電池のインピーダンスを測定する装置に関する。
【背景技術】
【０００２】
複数の発電要素が積層される積層電池では、インピーダンスをできるだけ正確に検出することが望ましい。積層電池のインピーダンスを測定する装置がＪＰ２００９−１０９３７５Ａに開示されている。ＪＰ２００９−１０９３７５Ａに記載の装置では、外部負荷に接続された電池に対して交流電流を印加して電池のインピーダンスを測定している。
【発明の概要】
【０００３】
しかしながら、ＪＰ２００９−１０９３７５Ａに記載されているような装置では、検出する交流電流にノイズが重畳しているため、積層電池のインピーダンスを正確に測定できないという問題があった。ところで、印加する交流信号に対する交流電圧信号を測定したいので、これらのノイズ対策として、検出対象となる交流電圧信号を通過させるフィルタを用いることが一般的である。
【０００４】
本発明では、上記一般的なフィルタ処理とは異なる方式にて、精度の高いインピーダンス測定が可能な装置を提供することを目的とする。
【０００５】
本発明による積層電池のインピーダンス測定装置のある態様は、積層電池を少なくとも含むインピーダンス測定対象に交流電流を出力し、インピーダンス測定対象の正極側の電位と中間電位との正極側交流電位差、および、インピーダンス測定対象の負極側の電位と中間電位との負極側交流電位差のうちの少なくとも一方の交流電位差と、インピーダンス測定対象に印加される交流電流とに基づいて積層電池のインピーダンスを算出する。この積層電池のインピーダンス測定装置において、インピーダンス算出で用いられる交流電位差とは反対極側の交流電位差を示す交流信号に対して当該交流信号周波数の信号を除去するフィルタと、フィルタを通過した後の信号を、インピーダンス算出で用いられる交流電位差を示す交流信号に加算する加算手段とを備える。
【図面の簡単な説明】
【０００６】
【図１Ａ】図１Ａは、本発明によるインピーダンス測定装置を適用する積層電池の一例としての燃料電池を説明する外観斜視図である。
【図１Ｂ】図１Ｂは、図１Ａに示した燃料電池を構成する発電セルの構造を示す分解図である。
【図２】図２は、第１実施形態における積層電池のインピーダンス測定装置の回路図である。
【図３】図３は、正極側直流遮断部５１１、負極側直流遮断部５１２、中途点直流遮断部５１３、正極側交流電位差検出部５２１、負極側交流電位差検出部５２２、正極側ノッチフィルタ５６１、負極側ノッチフィルタ５６２、及び加算器５７１、５７２の詳細について説明する図である。
【図４】図４は、正極側電源部５３１及び負極側電源部５３２の詳細について説明する図である。
【図５】図５は、交流調整部５４０の詳細について説明する図である。
【図６】図６は、インピーダンス演算部５５０の詳細について説明する図である。
【図７】図７は、本発明による積層電池のインピーダンス測定装置の第１実施形態におけるコントロールユニット６が実行する制御フローチャートである。
【図８】図８は、本発明による積層電池のインピーダンス測定装置の制御をコントローラーが実行したときのタイムチャートである。
【図９】図９は、第２実施形態における積層電池のインピーダンス測定装置の作用効果を説明するための図である。
【図１０】図１０は、第２実施形態の具体的な構成を示す図である。
【図１１】図１１は、本発明による積層電池のインピーダンス測定装置の第２実施形態を示す回路図である。
【図１２】図１２は、第３実施形態における積層電池のインピーダンス測定装置の回路図である。
【図１３】図１３は、第３実施形態における積層電池のインピーダンス測定装置のコントローラーが実行する制御フローチャートである。
【図１４】図１４は、第４実施形態における積層電池のインピーダンス測定装置の回路図である。
【図１５】図１５は、本発明による積層電池のインピーダンス測定装置の第５実施形態を示す図である。
【図１６】図１６は、第５実施形態の具体的な回路図である。
【図１７】図１７は、第６実施形態における積層電池のインピーダンス測定装置の回路図である。
【図１８】図１８は、第７実施形態における積層電池のインピーダンス測定装置の回路図である。
【図１９】図１９は、接続切替器５８０で中途点を順次切り替えるようにした構成図である。
【図２０】図２０は、変形形態を示す図である。
【発明を実施するための形態】
【０００７】
以下、添付図面を参照しながら本発明の実施形態について説明する。
【０００８】
（第１実施形態）
図１Ａ及び図１Ｂは、本発明によるインピーダンス測定装置を適用する積層電池の一例としての燃料電池を説明する図であり、図１Ａは外観斜視図、図１Ｂは発電セルの構造を示す分解図である。
【０００９】
図１Ａに示されるように、燃料電池スタック１は、積層された複数の発電セル１０と、集電プレート２０と、絶縁プレート３０と、エンドプレート４０と、４本のテンションロッド５０とを備える。
【００１０】
発電セル１０は、燃料電池の単位セルである。各発電セル１０は、１ボルト(Ｖ)程度の起電圧を生じる。各発電セル１０の構成の詳細については後述する。
【００１１】
集電プレート２０は、積層された複数の発電セル１０の外側にそれぞれ配置される。集電プレート２０は、ガス不透過性の導電性部材、たとえば緻密質カーボンで形成される。集電プレート２０は、正極端子２１１及び負極端子２１２を備える。また正極端子２１１及び負極端子２１２の間には、中途端子２１３が設けられる。燃料電池スタック１は、正極端子２１１及び負極端子２１２によって、各発電セル１０で生じた電子ｅ−が取り出されて出力する。
【００１２】
絶縁プレート３０は、集電プレート２０の外側にそれぞれ配置される。絶縁プレート３０は、絶縁性の部材、たとえばゴムなどで形成される。
【００１３】
エンドプレート４０は、絶縁プレート３０の外側にそれぞれ配置される。エンドプレート４０は、剛性のある金属材料、たとえば鋼などで形成される。
【００１４】
一方のエンドプレート４０(図１Ａでは、左手前のエンドプレート４０)には、アノード供給口４１ａと、アノード排出口４１ｂと、カソード供給口４２ａと、カソード排出口４２ｂと、冷却水供給口４３ａと、冷却水排出口４３ｂとが設けられている。本実施形態では、アノード排出口４１ｂ、冷却水排出口４３ｂ及びカソード供給口４２ａは図中右側に設けられている。またカソード排出口４２ｂ、冷却水供給口４３ａ及びアノード供給口４１ａは図中左側に設けられている。
【００１５】
テンションロッド５０は、エンドプレート４０の四隅付近にそれぞれ配置される。燃料電池スタック１は内部に貫通した孔(不図示)が形成されている。この貫通孔にテンションロッド５０が挿通される。テンションロッド５０は、剛性のある金属材料、たとえば鋼などで形成される。テンションロッド５０は、発電セル１０同士の電気短絡を防止するため、表面には絶縁処理されている。このテンションロッド５０にナット(奥にあるため図示されない)が螺合する。テンションロッド５０とナットとが燃料電池スタック１を積層方向に締め付ける。
【００１６】
アノード供給口４１ａにアノードガスとしての水素を供給する方法としては、例えば水素ガスを水素貯蔵装置から直接供給する方法、又は水素を含有する燃料を改質して改質した水素含有ガスを供給する方法などがある。なお、水素貯蔵装置としては、高圧ガスタンク、液化水素タンク、水素吸蔵合金タンクなどがある。水素を含有する燃料としては、天然ガス、メタノール、ガソリンなどがある。また、カソード供給口４２ａに供給するカソードガスとしては、一般的に空気が利用される。
【００１７】
図１Ｂに示されるように、発電セル１０は、膜電極接合体(Membrane Electrode Assembly；ＭＥＡ)１１の両面に、アノードセパレーター(アノードバイポーラープレート)１２ａ及びカソードセパレーター(カソードバイポーラープレート)１２ｂが配置される構造である。
【００１８】
ＭＥＡ１１は、イオン交換膜からなる電解質膜１１１の両面に電極触媒層１１２が形成される。この電極触媒層１１２の上にガス拡散層(Gas Diffusion Layer；ＧＤＬ)１１３が形成される。
【００１９】
電極触媒層１１２は、たとえば白金が担持されたカーボンブラック粒子で形成される。
【００２０】
ＧＤＬ１１３は、十分なガス拡散性及び導電性を有する部材、たとえばカーボン繊維で形成される。
【００２１】
アノード供給口４１ａから供給されたアノードガスは、このＧＤＬ１１３ａを流れてアノード電極触媒層１１２(１１２ａ)と反応し、アノード排出口４１ｂから排出される。
【００２２】
カソード供給口４２ａから供給されたカソードガスは、このＧＤＬ１１３ｂを流れてカソード電極触媒層１１２(１１２ｂ)と反応し、カソード排出口４２ｂから排出される。
【００２３】
アノードセパレーター１２ａは、ＧＤＬ１１３ａ及びシール１４ａを介してＭＥＡ１１の片面(図１Ｂの裏面)に重ねられる。カソードセパレーター１２ｂは、ＧＤＬ１１３ｂ及びシール１４ｂを介してＭＥＡ１１の片面(図１Ｂの表面)に重ねられる。シール１４(１４ａ，１４ｂ)は、たとえばシリコーンゴム、エチレンプロピレンゴム(ethylene propylene diene monomer；ＥＰＤＭ)、フッ素ゴムなどのゴム状弾性材である。アノードセパレーター１２ａ及びカソードセパレーター１２ｂは、たとえばステンレスなどの金属製のセパレーター基体がプレス成型されて、一方の面に反応ガス流路が形成され、その反対面に反応ガス流路と交互に並ぶように冷却水流路が形成される。図１Ｂに示すようにアノードセパレーター１２ａ及びカソードセパレーター１２ｂが重ねられて、冷却水流路が形成される。
【００２４】
ＭＥＡ１１、アノードセパレーター１２ａ及びカソードセパレーター１２ｂには、それぞれ孔４１ａ，４１ｂ，４２ａ，４２ｂ，４３ａ，４３ｂが形成されており、これらが重ねられて、アノード供給口(アノード供給マニホールド)４１ａ、アノード排出口(アノード排出マニホールド)４１ｂ、カソード供給口(カソード供給マニホールド)４２ａ、カソード排出口(カソード排出マニホールド)４２ｂ、冷却水供給口(冷却水供給マニホールド)４３ａ及び冷却水排出口(冷却水排出マニホールド)４３ｂが形成される。
【００２５】
図２は、第１実施形態における積層電池のインピーダンス測定装置の回路図である。
【００２６】
インピーダンス測定装置５は、正極側直流遮断部５１１と、負極側直流遮断部５１２と、中途点直流遮断部５１３と、正極側交流電位差検出部５２１と、負極側交流電位差検出部５２２と、正極側電源部５３１と、負極側電源部５３２と、交流調整部５４０と、インピーダンス演算部５５０と、正極側ノッチフィルタ５６１と、負極側ノッチフィルタ５６２と、正極側加算器５７１と、負極側加算器５７２とを含む。
【００２７】
正極側直流遮断部５１１、負極側直流遮断部５１２、中途点直流遮断部５１３、正極側交流電位差検出部５２１、負極側交流電位差検出部５２２、正極側ノッチフィルタ５６１、負極側ノッチフィルタ５６２、及び加算器５７１、５７２の詳細については、図３を参照して説明する。
【００２８】
正極側直流遮断部５１１は、燃料電池１の正極端子２１１に接続される。負極側直流遮断部５１２は、燃料電池１の負極端子２１２に接続される。中途点直流遮断部５１３は、燃料電池１の中途端子２１３に接続される。本実施形態では、中途端子２１３は、燃料電池１の中間電位の点と接続されており、かつ、接地されている。なお中途点直流遮断部５１３は、図２で波線で示したように設けられなくてもよい。これらの直流遮断部は、直流を遮断するが、交流を流す。直流遮断部は、たとえばコンデンサーやトランスである。
【００２９】
正極側ノッチフィルタ５６１は、正極側直流遮断部５１１で直流が遮断された信号のうち、後述する正極側交流電位差検出部５２１の検出対象である所定周波数（例えば、５ＫＨｚ）の交流信号を除去する。正極側直流遮断部５１１で直流が遮断された信号には、検出対象である交流信号とともにノイズ成分も含まれているため、正極側ノッチフィルタ５６１を通した信号は、ノイズ成分だけとなる。
【００３０】
負極側ノッチフィルタ５６２は、負極側直流遮断部５１２で直流が遮断された信号のうち、後述する負極側交流電位差検出部５２２の検出対象である所定周波数（例えば、５ＫＨｚ）の交流信号を除去する。負極側直流遮断部５１２で直流が遮断された信号には、検出対象である交流信号とともにノイズ成分も含まれているため、負極側ノッチフィルタ５６２を通した信号は、ノイズ成分だけとなる。
【００３１】
正極側加算器５７１は、正極側直流遮断部５１１で直流が遮断された信号と、負極側ノッチフィルタ５６２を通過した信号とを加算する。上述したように、中途点２１３は燃料電池１の中間電位の点であり、かつ、接地されているため、負極側直流遮断部５１２で直流が遮断された信号は、正極側直流遮断部５１１で直流が遮断された信号と位相が１８０度異なる信号となる。すなわち、負極側ノッチフィルタ５６２を通過したノイズ成分を示す信号は、正極側直流遮断部５１１で直流が遮断された信号に含まれるノイズ成分と位相が１８０度異なる（位相が反転した）信号である。従って、正極側直流遮断部５１１で直流が遮断された信号と、負極側ノッチフィルタ５６２を通過した信号とを加算することによって、ノイズ成分が相殺されるため、正極側加算器５７１の出力は、ノイズ成分が含まれない、検出対象である所定周波数の交流信号となる。
【００３２】
負極側加算器５７２は、負極側直流遮断部５１２で直流が遮断された信号と、正極側ノッチフィルタ５６１を通過した信号とを加算する。この場合も、負極側直流遮断部５１２で直流が遮断された信号に含まれるノイズ成分と、正極側ノッチフィルタ５６１を通過したノイズ成分の信号とが相殺されるため、負極側加算器５７２の出力は、ノイズ成分が含まれない、検出対象である所定周波数の交流信号となる。
【００３３】
正極側交流電位差検出部５２１は、燃料電池１の正極端子２１１の交流電位Ｖａと中途端子２１３の交流電位Ｖｃとを入力して正極側交流電位差を出力する。負極側交流電位差検出部５２２は、燃料電池１の負極端子２１２の交流電位Ｖｂと中途端子２１３の交流電位Ｖｃとを入力して負極側交流電位差を出力する。正極側交流電位差検出部５２１及び負極側交流電位差検出部５２２は、たとえば差動アンプ(計装アンプ)である。
【００３４】
正極側電源部５３１及び負極側電源部５３２の詳細については、図４を参照して説明する。
【００３５】
正極側電源部５３１は、たとえば、図４に示すようなオペアンプ(ＯＰアンプ)による電圧電流変換回路によって実現できる。この回路によれば、入力電圧Ｖｉに比例した電流Ｉｏが出力される。なおＩｏ＝Ｖｉ／Ｒｓであり、Ｒｓは電流センシング抵抗である。すなわち、この回路は、入力電圧Ｖｉで出力電流Ｉｏを調整可能な可変交流電流源である。
【００３６】
この回路を使用すれば、出力電流Ｉｏを実測しなくても、出力電流Ｉｏを入力電圧Ｖｉ÷比例定数Ｒｓで求めることができる。また、出力が電流なので、電流経路にコンデンサーのような位相角が生じる素子が介在しても、積層セル群を流れる交流電流と電流源の出力とは同位相になる。さらには入力電圧Ｖｉとも同位相になる。したがって次段のインピーダンス算出において位相差を考慮する必要がなく回路が簡素である。さらに、電流経路中のコンデンサーのインピーダンスがばらついても、位相変化の影響を受けない。このようなことから、正極側電源部５３１として図４に示すような回路を用いることが好適である。負極側電源部５３２も同様である。
【００３７】
交流調整部５４０の詳細については、図５を参照して説明する。
【００３８】
交流調整部５４０は、たとえば、図５に示すようなＰＩ制御回路によって実現できる。交流調整部５４０は、正極側検波回路５４１１と、正極側減算器５４２１と、正極側積分回路５４３１と、正極側乗算器５４５１と、負極側検波回路５４１２と、負極側減算器５４２２と、負極側積分回路５４３２と、負極側乗算器５４５２と、基準電圧５４４と、交流信号源５４６と、を含む。
【００３９】
正極側検波回路５４１１は、積層電池１の正極端子２１１に接続された正極側電源部５３１の配線上の交流電位Ｖａから不要信号を除去するとともに、直流信号に変換する。
【００４０】
正極側減算器５４２１は、その直流信号と基準電圧５４４との差を検出する。正極側積分回路５４３１は、正極側減算器５４２１から出力された信号を平均化又は感度調節する。
【００４１】
正極側乗算器５４５１は、交流信号源５４６の振幅を正極側積分回路５４３１の出力で変調する。
【００４２】
交流調整部５４０は、このようにして、正極側電源部５３１への指令信号を生成する。また同様に交流調整部５４０は、負極側電源部５３２への指令信号を生成する。このように生成された指令信号に応じて正極側電源部５３１及び負極側電源部５３２の出力が増減されることで、交流電位Ｖａ及びＶｂが共に所定のレベルに制御される。これにより交流電位Ｖａ及びＶｂは等電位になる。
【００４３】
なおこの例ではアナログ演算ＩＣを例に回路構成を示しているが、交流電位Ｖａ(Ｖｂ)をＡＤ変換器でデジタル変換した後、デジタル制御回路で構成してもよい。
【００４４】
インピーダンス演算部５５０の詳細については、図６を参照して説明する。
【００４５】
インピーダンス演算部５５０は、ＡＤ変換器（ＡＤＣ）５５１と、マイコンチップ（ＣＵＰ）５５２とを含む。
【００４６】
ＡＤ変換器５５１は、アナログ信号である交流電流(Ｉ１，Ｉ２)及び交流電圧(Ｖ１，Ｖ２)をデジタル数値信号に変換し、マイコンチップ５５２に転送する。  
【００４７】
マイコンチップ５５２は、インピーダンスＲｎ及び積層電池全体のインピーダンスＲを算出するプログラムを予め記憶している。マイコンチップ５５２は、所定の微小時間間隔で順次演算し、又はコントロールユニット６の要求に応じて、演算結果を出力する。なおインピーダンスＲｎ及び積層電池全体のインピーダンスＲは、次式で演算される。本実施形態では、ｎ＝２である。
【００４８】
【数１】
2014057868.tif 000003
【００４９】
インピーダンス演算部５５０は、アナログ演算ＩＣを用いたアナログ演算回路で実現してもよい。アナログ演算回路によれば、時間的に連続したインピーダンス変化を出力することができる。
【００５０】
図７は、本発明による積層電池のインピーダンス測定装置の第１実施形態におけるコントロールユニット６が実行する制御フローチャートである。
【００５１】
ステップＳ１においてコントロールユニット６は、正極交流電位Ｖａが所定値よりも大きいか否かを判定する。コントロールユニット６は、判定結果が否であればステップＳ２へ処理を移行し、判定結果が肯であればステップＳ３へ処理を移行する。
【００５２】
ステップＳ２においてコントロールユニット６は、正極交流電位Ｖａが所定値よりも小さいか否かを判定する。コントロールユニット６は、判定結果が否であればステップＳ４へ処理を移行し、判定結果が肯であればステップＳ５へ処理を移行する。
【００５３】
ステップＳ３においてコントロールユニット６は、正極側電源部５３１の出力を下げる。これによって正極交流電位Ｖａが下がる。
【００５４】
ステップＳ４においてコントロールユニット６は、正極側電源部５３１の出力を維持する。これによって正極交流電位Ｖａが維持される。
【００５５】
ステップＳ５においてコントロールユニット６は、正極側電源部５３１の出力を上げる。これによって正極交流電位Ｖａが上がる。
【００５６】
ステップＳ６においてコントロールユニット６は、負極の交流電位Ｖｂが所定値よりも大きいか否かを判定する。コントロールユニット６は、判定結果が否であればステップＳ７へ処理を移行し、判定結果が肯であればステップＳ８へ処理を移行する。
【００５７】
ステップＳ７においてコントロールユニット６は、負極の交流電位Ｖｂが所定値よりも小さいか否かを判定する。コントロールユニット６は、判定結果が否であればステップＳ９へ処理を移行し、判定結果が肯であればステップＳ１０へ処理を移行する。
【００５８】
ステップＳ８においてコントロールユニット６は、負極側電源部５３２の出力を下げる。これによって負極交流電位Ｖｂが下がる。
【００５９】
ステップＳ９においてコントロールユニット６は、負極側電源部５３２の出力を維持する。これによって負極交流電位Ｖｂが維持される。
【００６０】
ステップＳ１０においてコントロールユニット６は、負極側電源部５３２の出力を上げる。これによって負極交流電位Ｖｂが上がる。
【００６１】
ステップＳ１１においてコントロールユニット６は、正極交流電位Ｖａ及び負極交流電位Ｖｂが所定値であるか否かを判定する。コントロールユニット６は、判定結果が肯であればステップＳ１２へ処理を移行し、判定結果が否であれば処理を抜ける。
【００６２】
ステップＳ１２においてコントロールユニット６は、上述の式（１−１）、（１−２）に基づいてインピーダンスを演算する。
【００６３】
図８は、本発明による積層電池のインピーダンス測定装置の制御をコントロールユニット６が実行したときのタイムチャートである。
【００６４】
なおフローチャートとの対応が判りやすくなるようにステップ番号を併記する。
【００６５】
図８の初期は、正極側のインピーダンスＲ１が高く、負極側のインピーダンスＲ２が低い状態である(図８(Ａ))。このような状態でコントロールユニット６が制御を開始する。
【００６６】
時刻ｔ０では、正極交流電位Ｖａも負極交流電位Ｖｂも制御レベルに達していない(図８(Ｃ))。この状態では、コントロールユニット６は、ステップＳ１→Ｓ２→Ｓ５→Ｓ６→Ｓ７→Ｓ１０→Ｓ１１を繰り返す。これによって正極側交流電流Ｉ１及び負極側交流電流Ｉ２が増大する(図８(Ｂ))。
【００６７】
時刻ｔ１で正極交流電位Ｖａが制御レベルに達したら(図８(Ｃ))、コントロールユニット６は、ステップＳ１→Ｓ２→Ｓ４→Ｓ６→Ｓ７→Ｓ１０→Ｓ１１を繰り返す。これによって正極側交流電流Ｉ１が維持されるとともに、負極側交流電流Ｉ２は増大する(図８(Ｂ))。
【００６８】
時刻ｔ２で負極交流電位Ｖｂも制御レベルに達して正極交流電位Ｖａと同レベルになったら(図８(Ｃ))、コントロールユニット６は、ステップＳ１→Ｓ２→Ｓ４→Ｓ６→Ｓ７→Ｓ９→Ｓ１１→Ｓ１２の順に処理を行う。これによって正極側交流電流Ｉ１及び負極側交流電流Ｉ２が維持される。そして式（１−１）に基づいて、正極側インピーダンスＲ１及び負極側インピーダンスＲ２が演算される。そして正極側インピーダンスＲ１と負極側インピーダンスＲ２とが足し合わされて全体のインピーダンスＲが求められる。
【００６９】
時刻ｔ３以降は燃料電池の湿潤状態が変化するなどして負極側インピーダンスＲ２が上昇している(図８(Ａ))。この場合には、コントロールユニット６は、ステップＳ１→Ｓ２→Ｓ４→Ｓ６→Ｓ８→Ｓ１１→Ｓ１２を繰り返す。このように処理することで負極側インピーダンスＲ２の上昇に合わせて負極側交流電流Ｉ２を下げるので、負極交流電位は正極交流電位と同レベルに維持される。したがってこの状態でもインピーダンスが演算される。
【００７０】
時刻ｔ４以降は負極側インピーダンスが正極側インピーダンスに一致するようになる(図８(Ａ))。この場合には、コントロールユニット６は、ステップＳ１→Ｓ２→Ｓ４→Ｓ６→Ｓ７→Ｓ９→Ｓ１１→Ｓ１２を繰り返す。このように処理することで正極側交流電位と負極側交流電位とが同レベルに維持され(図８(Ｃ))、インピーダンスが演算される。
【００７１】
上述した説明では、正極側インピーダンスＲ１と負極側インピーダンスＲ２とを加算して燃料電池全体のインピーダンスＲを求めるものとしたが、中途点を燃料電池の中間電位の点としているので、正極側インピーダンスＲ１と負極側インピーダンスＲ２とは等しくなる。従って、例えば、正極側交流電位差および正極側交流電流のみを検出して、正極側インピーダンスＲ１を求め、求めたインピーダンスＲ１を２倍すれば、燃料電池のインピーダンスＲを求めることができる。この場合には、負極側ノッチフィルタ５６２及び正極側加算器５７１だけ設ければよく、正極側ノッチフィルタ５６１及び負極側加算器５７２は省略することができる。同様に、負極側交流電位差および負極側交流電流のみを検出して、負極側インピーダンスＲ２を求め、求めたインピーダンスＲ２を２倍することにより、燃料電池のインピーダンスＲを求めることもできる。この場合には、正極側ノッチフィルタ５６１及び負極側加算器５７２だけ設ければよく、負極側ノッチフィルタ５６２及び正極側加算器５７１は省略することができる。
【００７２】
以上、第１実施形態における積層電池のインピーダンス測定装置は、積層電池に交流電流を出力し、積層電池の正極側の電位と積層電池の中間電位との正極側交流電位差、および、積層電池の負極側の電位と積層電池の中間電位との負極側交流電位差のうちの少なくとも一方の交流電位差を検出し、少なくとも一方の交流電位差と、積層電池に印加される交流電流とに基づいて積層電池のインピーダンスを算出する。この積層電池のインピーダンス測定装置において、正極側交流電位差を示す交流信号に対して当該交流信号周波数の信号を除去する正極側ノッチフィルタ５６１、および、負極側交流電位差を示す交流信号に対して当該交流信号周波数の信号を除去する負極側ノッチフィルタ５６２のうち、検出される交流電位差に対応するフィルタと、第１のフィルタ５６１を通過した後の信号を負極側交流電位差を示す交流信号に加算する正極側加算器５７１、および、負極側ノッチフィルタ５６２を通過した後の信号を正極側交流電位差を示す交流信号に加算する負極側加算器５７２のうち、検出される交流電位差に対応するフィルタを通過した後の信号を加算する加算器とを備える。正極側交流電位差を示す交流信号に対して正極側ノッチフィルタ５６１によって当該交流信号周波数の信号を除去した信号はノイズ信号である。積層電池の中間電位を基準とする正極側交流電位差を示す信号と負極側交流電位差を示す信号とは位相が１８０度異なる（位相が反転した）信号であるから、正極側ノッチフィルタ５６１を通過した後の信号を負極側交流電位差を示す交流信号に加算することによってノイズ信号を相殺することができ、ノイズの無い負極側交流電位差を示す交流信号を取り出すことができる。同様に、負極側ノッチフィルタ５６２を通過した後の信号を正極側交流電位差を示す交流信号に加算することによってノイズ信号を相殺することができ、ノイズの無い正極側交流電位差を示す交流信号を取り出すことができる。これにより、ノイズの影響がない交流電位差および交流電流に基づいて、積層電池のインピーダンスを精度良く求めることができる。
【００７３】
所定の周波数帯域の信号を通過させるバンドパスフィルタを用いてノイズ成分を除去する場合、狭い周波数の信号を通過させるためのバンドパスフィルタが高価であるため、コストが高くなる。しかしながら、本実施形態では、安価なノッチフィルタを用いることにより、バンドパスフィルタを用いる構成に対して低いコストでノイズを除去することができる。
【００７４】
また、除去したいノイズ信号の位相を反転させた信号を元信号に加算することによってノイズ信号を除去するアクティブノイズコントルールシステムでは、除去したいノイズ信号を生成する必要がある。しかし、本実施形態では、正極側交流電位差を示す交流信号を正極側ノッチフィルタ５６１に通してから負極側交流電位差を示す交流信号に加算するだけで、負極側交流電位差を示す交流信号からノイズ成分を除去することができる。同様に、負極側交流電位差を示す交流信号を負極側ノッチフィルタ５６２に通してから正極側交流電位差を示す交流信号に加算するだけで、正極側交流電位差を示す交流信号からノイズ成分を除去することができる。
【００７５】
（第２実施形態）
図９は、第２実施形態における積層電池のインピーダンス測定装置の作用効果を説明するための図である。
【００７６】
第１実施形態では、交流電位差検出部５２１，５２２及び電源部５３１，５３２をひとつの経路で燃料電池１に接続していたが、本実施形態では、それぞれ別の経路で燃料電池１に接続するようにした。これによってインピーダンスの検出精度が向上する。以下ではその理由を説明する。
【００７７】
図９(Ａ)に示すように、交流電位差検出部及び電源部をひとつの経路で接続すると、燃料電池１の電位Ｖｘは、次式（２）で表される。
【００７８】
【数２】
2014057868.tif 000004
【００７９】
これに対して、交流電位差検出部５２１で検出される電圧Ｖｉは、次式（３）で表される。
【００８０】
【数３】
2014057868.tif 000005
【００８１】
このように、交流電位差検出部５２１で検出される電圧Ｖｉには、本来検出したい電位Ｖｘに、配線抵抗Ｒｗ及び接続点の接触抵抗Ｒｃと交流電流とに応じた誤差電圧が加算される。したがって測定誤差ｅｒｒは、次式（４）で表される。
【００８２】
【数４】
2014057868.tif 000006
【００８３】
小型電池などであれば一般的に測定対象抵抗Ｒｘが大きいので、接触抵抗Ｒｃ及び配線抵抗Ｒｗを無視でき実用上問題ないが、大型電池では一般的に〔配線抵抗Ｒｗ＞測定対象抵抗Ｒｘ〕の関係になる。この場合は各積層セル群に対して四端子法で接続する必要がある。
【００８４】
そこで本実施形態では、図９(Ｂ)に示すように、交流電位差検出部及び電源部をそれぞれ別の経路で接続する。このように構成すれば、交流電圧検出線５０１ａの接触抵抗Ｒｃ及び配線抵抗Ｒｗは、検出したい電圧Ｖｘを交流電位差検出部５２１の入力抵抗Ｒｉで分圧するように作用する。一般的には交流電位差検出部５２１の入力抵抗Ｒｉは配線抵抗Ｒｗや接触抵抗Ｒｃに対して非常に大きい（Ｒｉ≫（Ｒｗ＋Ｒｃ））。したがって、このように構成することで、測定誤差ｅｒｒは、次式（５）で表され、無視できるほど小さくなり、Ｖｉ＝Ｖｘと見なすことができる。
【００８５】
【数５】
2014057868.tif 000007
【００８６】
図１０は、第２実施形態の具体的な構成を示す図である。
【００８７】
燃料電池１を構成する発電セル１０のセパレーター(バイポーラープレート)１２の一部を延設して接続部位を設ける。
【００８８】
図１１は、本発明による積層電池のインピーダンス測定装置の第２実施形態を示す回路図である。
【００８９】
正極側交流電位差検出部５２１は、コンデンサー５１１ａを介して燃料電池１の正極側のセパレーター(バイポーラープレート)に接続する。正極側電源部５３１は、コンデンサー５１１を介して、正極側交流電位差検出部５２１の経路５０１ａとは別の経路５０１で、正極側交流電位差検出部５２１が接続するのと同じセパレーター(バイポーラープレート)に接続する。
【００９０】
負極側交流電位差検出部５２２は、コンデンサー５１２ａを介して燃料電池１の負極側のセパレーター(バイポーラープレート)に接続する。負極側電源部５３２は、コンデンサー５１２を介して、負極側交流電位差検出部５２２の経路５０２ａとは別の経路５０２で、負極側交流電位差検出部５２２が接続するのと同じセパレーター(バイポーラープレート)に接続する。
【００９１】
接地線５０３は、コンデンサー５１３を介して燃料電池１の中途点（中間電位の点）のセパレーター(バイポーラープレート)に接続する。また正極側交流電位差検出部５２１及び負極側交流電位差検出部５２２は、コンデンサー５１３ａを介して、接地線５０３とは別の経路５０３ａで、接地線５０３が接続するのと同じセパレーター(バイポーラープレート)に接続する。
【００９２】
また本実施形態では、交流調整部５４０の指令信号が正極側電源部５３１及び負極側電源部５３２に出力信号と比例関係にあることに着目し、この指令信号に基づいて交流電流値(Ｉ１，Ｉ２)を得るようにしてある。
【００９３】
本実施形態によれば、配線抵抗や接触抵抗の大きさや、あるいは温度や、端子表面酸化などによる抵抗変動の影響を大幅に低減することができる。そのため、積層電池側と信号配線との設計自由度が高く、安価に各積層セル群のインピーダンスを正確に検出することができる。また交流電流値(Ｉ１，Ｉ２)を実測する必要がないので、回路を簡素化できる。
【００９４】
このような回路構成においても、第１の実施形態と同様に、正極側加算器５７１および負極側加算器５７２からはノイズが相殺された信号が出力されるので、正極側交流電位差検出部５２１および負極側交流電位差検出部５２２は、ノイズが無い交流電位差を検出することができる。
【００９５】
（第３実施形態）
図１２は、第３実施形態における積層電池のインピーダンス測定装置の回路図である。本実施形態では、交流電位差検出部は正極側にのみ設けられている。従って、加算器（５７１）も正極側にのみ設けられ、ノッチフィルタ（５６２）は負極側にのみ設けられる。
【００９６】
本実施形態では、交流電源部５７０が、コンデンサー５１３を介して燃料電池１の中途点（中間電位の点）のセパレーター(バイポーラープレート)に接続する。また正極側交流電位差検出部５２１は、コンデンサー５１３ａを介して、交流電源部５７０の経路５０３とは別の経路５０３ａで、交流電源部５７０が接続するのと同じセパレーター(バイポーラープレート)に接続する。
【００９７】
正極側交流電流検出部５３１ａは、可変抵抗Ｒａ，可変コンデンサーＣａ及びコンデンサー５１１を介して、正極側交流電位差検出部５２１の経路５０１ａとは別の経路５０１で、正極側交流電位差検出部５２１が接続するのと同じセパレーター(バイポーラープレート)に接続する。
【００９８】
負極側交流電流検出部５３２ａは、固定抵抗Ｒｆ及びコンデンサー５１２を介して、コンデンサー５１２ａの経路５０２ａとは別の経路５０２で、コンデンサー５１２ａが接続するのと同じセパレーター(バイポーラープレート)に接続する。なお交流電流検出部５３１ａ、５３２ａとしては、ＯＰアンプによる電流電圧変換回路やカレントトランス方式（ＣＴ）の交流電流センサーなどが使用できる。
【００９９】
交流調整部５４０ａは、一端がコンデンサー５１１ａ及び正極側交流電位差検出部５２１の間に接続される。また他端がコンデンサー５１２ａに接続される。これによって交流調整部５４０ａは、燃料電池１の正極交流電位Ｖａ及び負極交流電位Ｖｂを入力できる。そして交流調整部５４０ａは、可変抵抗Ｒａ及び可変コンデンサーＣａを調整する。
【０１００】
図１３は、第３実施形態における積層電池のインピーダンス測定装置のコントローラーが実行する制御フローチャートである。
【０１０１】
ステップＳ１０１においてコントロールユニット６は、初期値設定が済んでいるか否かを判定する。コントロールユニット６は、判定結果が否(初期値設定が済んでいない)であればステップＳ１０２へ処理を移行し、判定結果が肯(初期値設定が済んでいる)であればステップＳ１０４へ処理を移行する。
【０１０２】
ステップＳ１０２においてコントロールユニット６は、可変抵抗Ｒａの調整量Ｎ及び可変コンデンサーＣａの調整量Ｍを設定する。ここでは一例としてそれぞれ１を設定している。
【０１０３】
ステップＳ１０３においてコントロールユニット６は、正極交流電位Ｖａから負極交流電位Ｖｂを減算して比較電位差Ｖｐを算出する。
【０１０４】
ステップＳ１０４においてコントロールユニット６は、可変抵抗Ｒａを調整するか否かを判定する。コントロールユニット６は、判定結果が肯であればステップＳ１０５へ処理を移行し、判定結果が否であればステップＳ１１１へ処理を移行する。
【０１０５】
ステップＳ１０５においてコントロールユニット６は、可変抵抗の抵抗値Ｒａに調整量Ｎを加算して可変抵抗値Ｒａを更新する。
【０１０６】
ステップＳ１０６においてコントロールユニット６は、正極交流電位Ｖａから負極交流電位Ｖｂを減算して電位差Ｖｎを算出する。
【０１０７】
ステップＳ１０７においてコントロールユニット６は、電位差Ｖｎが比較電位差Ｖｐよりも小さくなったか否かを判定する。コントロールユニット６は、判定結果が否であればステップＳ１０８へ処理を移行し、判定結果が肯であればステップＳ１０９へ処理を移行する。
【０１０８】
ステップＳ１０８においてコントロールユニット６は、調整量Ｎの極性を反転し、一旦処理を抜ける。
【０１０９】
ステップＳ１０９においてコントロールユニット６は、電位差Ｖｎが最小になったか否かを判定する。コントロールユニット６は、判定結果が肯であればステップＳ１１０へ処理を移行し、判定結果が否であれば、一旦処理を抜ける。
【０１１０】
ステップＳ１１０においてコントロールユニット６は、その時点の電位差Ｖｎで比較電位差Ｖｐを更新する。
【０１１１】
ステップＳ１１１においてコントロールユニット６は、可変コンデンサーの容量Ｃａに調整量Ｍを加算して可変コンデンサー容量Ｃａを更新する。
【０１１２】
ステップＳ１１２においてコントロールユニット６は、正極交流電位Ｖａから負極交流電位Ｖｂを減算して電位差Ｖｎを算出する。
【０１１３】
ステップＳ１１３においてコントロールユニット６は、電位差Ｖｎが比較電位差Ｖｐよりも小さくなったか否かを判定する。コントロールユニット６は、判定結果が否であればステップＳ１１４へ処理を移行し、判定結果が肯であればステップＳ１１５へ処理を移行する。
【０１１４】
ステップＳ１１４においてコントロールユニット６は、調整量Ｍの極性を反転し、一旦処理を抜ける。
【０１１５】
ステップＳ１１５においてコントロールユニット６は、電位差Ｖｎが最小になったか否かを判定する。コントロールユニット６は、判定結果が肯であればステップＳ１１６へ処理を移行し、判定結果が否であれば、一旦処理を抜ける。
【０１１６】
ステップＳ１１６においてコントロールユニット６は、その時点の電位差Ｖｎで比較電位差Ｖｐを更新する。
【０１１７】
ステップＳ１１７においてコントロールユニット６は、上述の式（１−１）、（１−２）に基づいてインピーダンスを演算する。
【０１１８】
以上のフローチャートが実行されると以下のように動作する。
【０１１９】
最初は初期値を設定する(Ｓ１０１→Ｓ１０２→Ｓ１０３)。
【０１２０】
次サイクルでは、まず可変抵抗Ｒａを調整する。可変抵抗値Ｒａを調整して(Ｓ１０５)、電位差Ｖｎを算出し(Ｓ１０６)、電位差が小さくならなければ調整量Ｎの極性を反転し(Ｓ１０８)、電位差が小さくなれば最小値か否かを判定する(Ｓ１０９)。最小値になるまで同様の処理(Ｓ１０１→Ｓ１０４→Ｓ１０５→Ｓ１０６→Ｓ１０７→Ｓ１０８又はＳ１０９)を繰り返すことで、可変抵抗値Ｒａが最小値に調整される。そして可変抵抗値Ｒａが最小値に調整されたら、その時点の電位差Ｖｎで比較電位差Ｖｐを更新する(Ｓ１１０)。
【０１２１】
次サイクルでは、可変コンデンサー容量Ｃａを調整する。可変コンデンサー容量Ｃａを調整して(Ｓ１１１)、電位差Ｖｎを算出し(Ｓ１１２)、電位差が小さくならなければ調整量Ｍの極性を反転し(Ｓ１１４)、電位差が小さくなれば最小値か否かを判定する(Ｓ１１５)。最小値になるまで同様の処理(Ｓ１０１→Ｓ１０４→Ｓ１１１→Ｓ１１２→Ｓ１１３→Ｓ１１４又はＳ１１５)を繰り返すことで、可変コンデンサー容量Ｃａが最小値に調整される。そして可変コンデンサー容量Ｃａが最小値に調整されたら、その時点の電位差Ｖｎで比較電位差Ｖｐを更新する(Ｓ１１６)。
【０１２２】
そして上述の式（１−１）、（１−２）に基づいてインピーダンスを演算する(Ｓ１１７)。
【０１２３】
本実施形態のようにすれば、各積層セル群両端の交流電圧振幅が必然的に同じになる。そのため、第１実施形態や第２実施形態と同様の効果が得られる。すなわち、インピーダンス測定対象(燃料電池)に流れる交流電流値と、電源から出力する交流電流値と、が一致するので、測定対象へ流れる交流電流を正確に検知することができる。そしてこの交流電流に基づいて積層電池のインピーダンスを求めるので、稼働中の積層電池のインピーダンスを負荷装置の状態の影響を受けずに正確に測定することができる。
【０１２４】
さらに本実施形態によれば、各積層セル群両端の交流電圧振幅が必然的に同じになるので、交流電位差検出部は正極側及び負極側のいずれか一方に設ければよい。なお本実施形態では、正極側に交流電位差検出部５２１を設けた。したがって、回路を簡素にすることができる。
【０１２５】
本実施形態においても、第１の実施形態と同様に、正極側加算器５７１からはノイズが相殺された信号が出力されるので、正極側交流電位差検出部５２１は、ノイズが無い交流電位差を検出することができる。
【０１２６】
（第４実施形態）
図１４は、第４実施形態における積層電池のインピーダンス測定装置の回路図である。
【０１２７】
本実施形態では、第３実施形態と同様に、交流電源部５７０が、コンデンサー５１３を介して燃料電池１の中途点のセパレーター(バイポーラープレート)に接続する。また正極側交流電位差検出部５２１及び負極側交流電位差検出部５２２は、コンデンサー５１３ａを介して、交流電源部５７０の経路５０３とは別の経路５０３ａで、交流電源部５７０が接続するのと同じセパレーター(バイポーラープレート)に接続する。
【０１２８】
正極側極性反転アンプ５４０ｂは、コンデンサー５１１を介して、正極側交流電位差検出部５２１の経路５０１ａとは別の経路５０１で、正極側交流電位差検出部５２１が接続するのと同じセパレーター(バイポーラープレート)に接続する。
【０１２９】
負極側極性反転アンプ５４０ｃは、コンデンサー５１２を介して、負極側交流電位差検出部５２２の経路５０２ａとは別の経路５０２で、負極側交流電位差検出部５２２が接続するのと同じセパレーター(バイポーラープレート)に接続する。なお極性反転アンプ５４０ｂ．５４０ｃとしては、ＯＰアンプによる反転増幅回路、ブートストラップ回路、アクティブノイズキャンセル回路などが応用できる。
【０１３０】
このように構成すれば、積層電池出力端で検出される交流電圧の極性が反転されてそれぞれの積層電池出力端子に戻されるので、積層電池出力端の交流電圧振幅が強制的に相殺(零化)される。これによって、積層電池両端の交流電圧振幅は共に零になって等電位になる。
【０１３１】
また各々の積層セル群に流れる交流電流は、交流電流検出部５３１ａ，５３２ａで検出され、積層セル群両端の交流電圧は交流電圧検出線に接続した交流電位差検出部５２１，５２２で検出される。
【０１３２】
したがって、本実施形態によれば、交流調整部５４０による電圧比較機能が不要であるので、回路を簡素化できる。
【０１３３】
本実施形態においても、第１の実施形態と同様に、正極側加算器５７１および負極側加算器５７２からはノイズが相殺された信号が出力されるので、正極側交流電位差検出部５２１および負極側交流電位差検出部５２２は、ノイズが無い交流電位差を検出することができる。
【０１３４】
（第５実施形態）
図１５は、本発明による積層電池のインピーダンス測定装置の第５実施形態を示す図である。
【０１３５】
上記各実施形態では、交流電位差検出部及び電源部(又は交流電流検出部)を共通のセパレーター(バイポーラープレート)に接続した。これに対して、本実施形態では、少なくともひとつ隔てた別のバイポーラープレートに接続する。具体的な回路図を図１６に示す。
【０１３６】
正極側電源部５３１は、コンデンサー５１１を介して、燃料電池１の正極側のバイポーラープレート５０１に接続する。正極側交流電位差検出部５２１は、コンデンサー５１１ａを介して、バイポーラープレート５０１とは異なるバイポーラープレート５０１ａに接続する。また正極側交流電位差検出部５２１は、コンデンサー５１３１ａを介して、接地線が接続するバイポーラープレート５０３とは異なるバイポーラープレート５０３１ａに接続する。
【０１３７】
負極側電源部５３２は、コンデンサー５１２を介して、燃料電池１の負極側のバイポーラープレート５０２に接続する。負極側交流電位差検出部５２２は、コンデンサー５１２ａを介してバイポーラープレート５０２とは異なるバイポーラープレート５０２ａに接続する。また負極側交流電位差検出部５２２は、コンデンサー５１３２ａを介して、接地線が接続するバイポーラープレート５０３とは異なるバイポーラープレート５０３２ａに接続する。
【０１３８】
本実施形態によっても、第２実施形態と同様の作用効果が得られる。接続端子の占有スペースを狭くできるので小型化できる。なお本実施形態の場合は、バイポーラープレート５０１とバイポーラープレート５０１ａとの間のセルインピーダンス、バイポーラープレート５０２とバイポーラープレート５０２ａとの間のセルインピーダンス、バイポーラープレート５０３とバイポーラープレート５０３１ａとの間のセルインピーダンス、バイポーラープレート５０３とバイポーラープレート５０３２ａとの間のセルインピーダンスは、いずれも交流電圧検出の範囲外となり検出できない。しかしながら、大型積層電池などのように積層枚数が多い場合や、セル間のインピーダンスばらつきが揃っている場合には、検出範囲のセル枚数から１セル当たりの平均セルインピーダンスを求めて補正できるので問題ない。
【０１３９】
本実施形態においても、第１の実施形態と同様に、正極側加算器５７１および負極側加算器５７２からはノイズが相殺された信号が出力されるので、正極側交流電位差検出部５２１および負極側交流電位差検出部５２２は、ノイズが無い交流電位差を検出することができる。
【０１４０】
（第６実施形態）
図１７は、第６実施形態における積層電池のインピーダンス測定装置の回路図である。
【０１４１】
本実施形態を回路図で示すと、第３実施形態(図１２)と同じになる。ただし、第３実施形態では、交流電位差検出部及び電源部(又は交流電流検出部)を共通のセパレーター(バイポーラープレート)に接続するようにしたが、本実施形態では、少なくともひとつ隔てた別のバイポーラープレートに接続する。なお本実施形態では、交流電位差検出部は正極側にのみ設け、この正極側交流電位差検出部を図１５のバイポーラープレート５０３１ａに接続する。図１５のバイポーラープレート５０３２ａに接続する交流電位差検出部は不要である。
【０１４２】
このようにすれば、第３実施形態と同様に、各積層セル群両端の交流電圧振幅が必然的に同じになる。そのため、インピーダンス測定対象(燃料電池)に流れる交流電流値と、電源から出力する交流電流値とが一致するので、測定対象へ流れる交流電流を正確に検知することができる。そしてこの交流電流に基づいて積層電池のインピーダンスを求めるので、稼働中の積層電池のインピーダンスを負荷装置の状態の影響を受けずに正確に測定することができる。また接続端子の占有スペースを狭くできるので小型化できる。
【０１４３】
本実施形態においても、第１の実施形態と同様に、正極側加算器５７１からはノイズが相殺された信号が出力されるので、正極側交流電位差検出部５２１は、ノイズが無い交流電位差を検出することができる。
【０１４４】
（第７実施形態）
図１８は、第７実施形態における積層電池のインピーダンス測定装置の回路図である。
【０１４５】
本実施形態では、基本的には第４実施形態(図１４)と同様である。ただし、第４実施形態(図１４)では、交流電位差検出部及び電源部(又は交流電流検出部)を共通のセパレーター(バイポーラープレート)に接続したのに対して、本実施形態では、少なくともひとつ隔てた別のバイポーラープレートに接続する。
【０１４６】
正極側極性反転アンプ５４０ｂは、コンデンサー５１１を介して、燃料電池１の正極側のバイポーラープレート５０１に接続する。正極側交流電位差検出部５２１は、コンデンサー５１１ａを介して、バイポーラープレート５０１とは異なるバイポーラープレート５０１ａに接続する。また正極側交流電位差検出部５２１は、コンデンサー５１３１ａを介して、接地線が接続するバイポーラープレート５０３とは異なるバイポーラープレート５０３１ａに接続する。
【０１４７】
負極側極性反転アンプ５４０ｃは、コンデンサー５１２を介して、燃料電池１の負極側のバイポーラープレート５０２に接続する。負極側交流電位差検出部５２２は、コンデンサー５１２ａを介してバイポーラープレート５０２とは異なるバイポーラープレート５０２ａに接続する。また負極側交流電位差検出部５２２は、コンデンサー５１３２ａを介して、接地線が接続するバイポーラープレート５０３とは異なるバイポーラープレート５０３２ａに接続する。
【０１４８】
このようにすれば、第４実施形態と同様に、積層電池出力端で検出される交流電圧の極性が反転されてそれぞれの積層電池出力端子に戻されるので、積層電池出力端の交流電圧振幅が強制的に相殺(零化)される。これによって、積層電池両端の交流電圧振幅は共に零になって等電位になる。また各々の積層セル群に流れる交流電流は、交流電流検出部５３１ａ，５３２ａで検出され、積層セル群両端の交流電圧は交流電圧検出線に接続した交流電位差検出部５２１，５２２で検出される。したがって、本実施形態によれば、交流調整部５４０による電圧比較機能が不要であるので、回路を簡素化できる。また接続端子の占有スペースを狭くできるので小型化できる。
【０１４９】
本実施形態においても、第１の実施形態と同様に、正極側加算器５７１および負極側加算器５７２からはノイズが相殺された信号が出力されるので、正極側交流電位差検出部５２１および負極側交流電位差検出部５２２は、ノイズが無い交流電位差を検出することができる。
【０１５０】
（参考実施形態）
上述した各実施形態では、中途点は燃料電池１の中間電位の点としているが、中途点を燃料電池１の中間電位の点としない場合の回路に対してノッチフィルタを設ける構成について考察しておく。
【０１５１】
例えば、燃料電池１の正極端子と負極端子との間を１：２に分ける点を中途点として接地した場合、正極側交流電位差検出部ではノイズを含む交流電位差信号を１／３倍した信号を検出し、負極側交流電位差検出部ではノイズを含む交流電位差信号を２／３倍した信号を検出することになる。従って、正極側交流電位差検出部で検出される信号を２倍に増幅すれば、正極側交流電位差検出部と負極側交流電位差検出部で検出される信号レベルは同じとなる。同じ信号レベルとなるように調整された信号を、上述した各実施形態で説明したように、ノッチフィルタ及び加算器を通すことにより、ノイズをキャンセルすることができる。
【０１５２】
図１９は、接続切替器５８０で中途点を順次切り替えるようにした構成図である。この場合にも、切り換える中途点の位置に応じて、正極側交流電位差検出部と負極側交流電位差検出部で検出される信号レベルが同じとなるように調整してからノッチフィルタ及び加算器を通すことにより、ノイズをキャンセルすることができる。
【０１５３】
中途点を切り換えるこの構成によれば、現在の測定値と一つ前の測定値とを比較することで、現在接続されているセルのインピーダンスを算出することができる。従って、各セル毎にインピーダンスを測定することができる。これにより、積層方向のインピーダンス分布や局所的なセルの劣化などをモニタすることができる。
【０１５４】
以上、本発明の実施形態について説明したが、上記実施形態は本発明の適用例の一部を示したに過ぎず、本発明の技術的範囲を上記実施形態の具体的構成に限定する趣旨ではない。
【０１５５】
例えば、図２０のように、積層電池１−１と同じ積層電池１−２を直列接続したものをインピーダンス測定対象としてもよい。このような場合であれば、積層電池１−１の正極を上記実施形態の正極と捉え、積層電池１−１と積層電池１−２との中途点を上記実施形態の中途点と捉え、積層電池１−２の負極を上記実施形態の負極と捉える。中途点は、積層電池１−１と積層電池１−２を含むインピーダンス測定対象の中間電位の点となる。このようにすれば、積層電池１−１のインピーダンス値がＲ１として求まり、積層電池１−２のインピーダンス値がＲ２として求まる。このようにしても、上述した各実施形態のように、ノッチフィルタおよび加算器を設けることによって、ノイズの影響を受けることなく、積層電池１−１及び積層電池１−２それぞれのインピーダンス値を正確に求めることができる。
【０１５６】
さらに上記説明においては、積層電池の一例として燃料電池を挙げたが、リチウムイオン電池などの電池であってもよい。すなわち発電要素が複数積層される電池であれば適用できる。そのような電池であっても内部抵抗が測定できれば効率的な運転ができ望ましい。
【０１５７】
上述した第１〜第３、第５〜第６実施形態では、交流調整部（５４０、５４０ａ）を設けた構成について説明したが、中途点を燃料電池１の中間電位の点としていることから、交流調整部（５４０、５４０ａ）は省略することも可能である。
【０１５８】
中途点は、燃料電池１の中間電位の点としたが、完全に中間電位の点ではなく、中間電位に近い位置としてもよい。
【０１５９】
本願は、２０１２年１０月９日に日本国特許庁に出願された特願２０１２−２２４２６６に基づく優先権を主張し、この出願の全ての内容は参照により本明細書に組み込まれる。
【図１Ａ】
2014057868.tif 000008
【図１Ｂ】
2014057868.tif 000009
【図２】
2014057868.tif 000010
【図３】
2014057868.tif 000011
【図４】
2014057868.tif 000012
【図５】
2014057868.tif 000013
【図６】
2014057868.tif 000014
【図７】
2014057868.tif 000015
【図８】
2014057868.tif 000016
【図９】
2014057868.tif 000017
【図１０】
2014057868.tif 000018
【図１１】
2014057868.tif 000019
【図１２】
2014057868.tif 000020
【図１３】
2014057868.tif 000021
【図１４】
2014057868.tif 000022
【図１５】
2014057868.tif 000023
【図１６】
2014057868.tif 000024
【図１７】
2014057868.tif 000025
【図１８】
2014057868.tif 000026
【図１９】
2014057868.tif 000027
【図２０】
2014057868.tif 000028
【国際調査報告】
2014057868.tif 000029
2014057868.tif 000030
2014057868.tif 000031
2014057868.tif 000032